【手続補正書】
【提出日】平成17年5月24日(2005.5.24)
【手続補正１】
【補正対象書類名】明細書
【補正対象項目名】特許請求の範囲
【補正方法】変更
【補正の内容】
【特許請求の範囲】
【請求項１】
（ａ）  並列に配置された第１の入射光路、第２の入射光路、第１の出射光路及び第２の出射光路と、
（ｂ）  これら４つの光路の一端側に所定の間隔を置いて配置され、それぞれが反射面を有する４つの反射体と、
（ｃ）  上記４つの反射体を第１の配置状態と第２の配置状態とに切り換え、これら４つの反射体を利用して、上記第１の配置状態では上記第１の入射光路と第２の入射光路から送り出された光をそれぞれ第１の出射光路と第２の出射光路にそれぞれ導き、上記第２の配置状態では上記第１の入射光路と第２の入射光路から送り出された光をそれぞれ第２の出射光路と第１の出射光路にそれぞれ導く光スイッチとを有する、
ことを特徴とする光路切換装置。
【請求項２】
上記４つの反射体は、２つの固定反射体と、２つの可動反射体からなり、
上記２つの可動反射体は、上記第１の配置状態において第１の位置を占め、上記第２の配置状態において第２の位置を占める、
ことを特徴とする請求項１記載の光路切換装置。
【請求項３】
上記２つの固定反射体の２つの固定反射面と、２つの可動反射体の２つの可動反射面は、
第１の配置状態において、一つの固定反射面と一つの可動反射面が一つの直線上に配置されると共に残る固定反射面と残る可動反射面が上記直線とほぼ直交する別の直線上に配置され、
第２の配置状態において、一つの固定反射面と一つの可動反射面が一つの隣接する直交面を形成すると共に残る固定反射面と残る可動反射面が別の隣接する直交面を形成するように配置されることを特徴とする請求項２記載の光路切換装置。
【請求項４】
上記光スイッチは、上記２つの可動反射体を別々に支持する２つの可動部材と、これら２つの可動部材を第１の位置と第２の位置との間で移動させる移動機構とを有することを特徴とする請求項２又は３に記載の光路切換装置。
【請求項５】
上記光スイッチは、上記２つの可動反射体を支持する一つの可動部材と、この可動部材を第１の位置と第２の位置との間で移動させる移動機構とを有することを特徴とする請求項２又は３に記載の光路切換装置。
【請求項６】
（ａ）第１の入射光路、第２の入射光路、第１の出射光路及び第２の出射光路と、
（ｂ）これら４つの光路の一端側に所定の間隔を置いて配置された、第１の反射体及び第２の反射体と、
（ｃ）上記４つの光路と上記２つの反射体との相対位置を切り換える移動機構とを有し、
第１及び第２の入射光路から送り出された光を第１及び第２の出射光路に導く第１の状態と、
第１及び第２の入射光路から送り出された光を第２及び第１の出射光路に導く第２の状態とを上記移動機構により切り換えることを特徴とする光路切換装置。
【請求項７】
（ａ）  並列に配置された第１の入射光路、第２の入射光路、第１の出射光路及び第２の出射光路と、
（ｂ）  これら４つの光路の一端側に所定の間隔を置いて配置され、互いに９０度の内角をもって隣接する２つの大反射面と、９０度の内角と２７０度の外角をもって順次隣接する４つの小反射面とを有する可動部材と、
（ｃ）  この可動部材を、上記２つの大反射面により第１及び第２の入射光路から送り出された光を第１及び第２の出射光路に導く第１の状態と、上記４つの小反射面により第１及び第２の入射光路から送り出された光を第２及び第１の出射光路に導く第２の状態とに切り換える移動機構とを有することを特徴とする光路切換装置。
【請求項８】
上記移動機構は、上記可動部材に設けた永久磁石と、この永久磁石を第１の位置に付勢する第１の磁界と第２の位置に付勢する第２の磁界とを形成する磁界形成部とを有することを特徴とする請求項４から７のいずれかに記載の光路切換装置。
【請求項９】
上記移動機構はまた、上記永久磁石の下に配置され、該永久磁石の磁界に反発する磁界を作用させる反発磁界形成部を有することを特徴とする請求項８記載の光路切換装置。
【請求項１０】
上記第１の位置及び第２の位置の近傍に固定され、これら上記第１の位置及び第２の位置に上記永久磁石があるとき、この永久磁石との間に磁気吸引力を生じる磁性部材を有することを特徴とする請求項７又は８に記載の光路切換装置。
【請求項１１】
上記磁性部材が上記磁界形成部の励磁部であることを特徴とする請求項１０記載の光路切換装置。
【請求項１２】
上記可動反射体が上記第１の位置又は上記第２の位置にあるかを検出する検出手段を設けたことを特徴とする請求項２から５、８から１１のいずれかに記載の光路切換装置。
【請求項１３】
上記検出手段は、上記可動反射体と共に移動する導電部材と、上記可動反射体が第１の位置又は第２の位置にあるとき上記導電部材と接触する互いに絶縁された第１及び第２の端子と、上記第１の端子と第２の端子が電気的に接続されているか否かを検出する検出回路とを有することを特徴とする請求項１２記載の光路切換装置。
【請求項１４】
上記検出手段は、上記可動反射面と共に移動する導電部材と、上記可動反射面が第１の位置又は第２の位置にあるとき上記導電部材に近接する互いに絶縁された第１及び第２の電極と、第１と第２の電極間の静電容量変化を検出する検出回路とを有することを特徴とする請求項１２記載の光路切換装置。
【請求項１５】
上記検出手段は、上記第１の位置又は第２の位置にある可動反射体の近傍に配置されたホトカプラと、このホトカプラからの信号を検出する検出回路とを有することを特徴とする請求項１２記載の光路切換装置。
【請求項１６】
上記可動部材が上記第１の状態又は上記第２の状態にあるかを検出する検出手段を設けたことを特徴とする請求項７に記載の光路切換装置。
【請求項１７】
上記入射光路と上記出射光路の少なくともいずれか一方は、レンズと、このレンズと同軸上に配置された光ファイバとを有することを特徴とする請求項１から１６のいずれかに記載の光路切換装置。
【請求項１８】
上記レンズがコリメートレンズである請求項１７記載の光路切換装置。
【請求項１９】
上記入射光路と上記出射光路の少なくともいずれか一方は、コア部の端面近傍がテーパ状に拡大されたテーパファイバを有することを特徴とする請求項１から１６のいずれかに記載の光路切換装置。
【請求項２０】
上記光ファイバとして、その端面を端面での反射光がコアの外部へ放射される程度に斜めに切断した光ファイバを適用することを特徴とする請求項１７記載の光路切換装置。
【請求項２１】
上記入射光路と上記出射光路の少なくともいずれか一方は微小コリメータ付き光ファイバであることを特徴とする請求項１から１６のいずれかに記載の光路切換装置。
【請求項２２】
上記微小コリメータ付き光ファイバとして、その端面を端面での反射光がコアの外部へ放射される程度に斜めに切断した微小コリメータ付き光ファイバを適用することを特徴とする請求項２１記載の光路切換装置。
【手続補正２】
【補正対象書類名】明細書
【補正対象項目名】００１３
【補正方法】変更
【補正の内容】
【００１３】
【課題を解決するための手段】
請求項１に係る光路切換装置は、
（ａ）  並列に配置された第１の入射光路、第２の入射光路、第１の出射光路及び第２の出射光路と、
（ｂ）  これら４つの光路の一端側に所定の間隔を置いて配置され、それぞれが反射面を有する４つの反射体と、
（ｃ）  上記４つの反射体を第１の配置状態と第２の配置状態とに切り換え、これら４つの反射体を利用して、上記第１の配置状態では上記第１の入射光路と第２の入射光路から送り出された光をそれぞれ第１の出射光路と第２の出射光路にそれぞれ導き、上記第２の配置状態では上記第１の入射光路と第２の入射光路から送り出された光をそれぞれ第２の出射光路と第１の出射光路にそれぞれ導く光スイッチとを有する、
ことを特徴とするものである。
【手続補正３】
【補正対象書類名】明細書
【補正対象項目名】００１４
【補正方法】変更
【補正の内容】
【００１４】
請求項２に係る光路切換装置は、請求項１記載の光路切換装置において、  上記４つの反射体が、２つの固定反射体と、２つの可動反射体からなり、
上記２つの可動反射体は、上記第１の配置状態において第１の位置を占め、上記第２の配置状態において第２の位置を占める、
ことを特徴とするものである。
【手続補正４】
【補正対象書類名】明細書
【補正対象項目名】００１５
【補正方法】変更
【補正の内容】
【００１５】
請求項３に係る光路切換装置は、請求項２記載の光路切換装置において、上記２つの固定反射体の２つの固定反射面と、２つの可動反射体の２つの可動反射面が、
第１の配置状態において、一つの固定反射面と一つの可動反射面が一つの直線上に配置されると共に残る固定反射面と残る可動反射面が上記直線とほぼ直交する別の直線上に配置され、
第２の配置状態において、一つの固定反射面と一つの可動反射面が一つの隣接する直交面を形成すると共に残る固定反射面と残る可動反射面が別の隣接する直交面を形成するように配置されることを特徴とするものである。
【手続補正５】
【補正対象書類名】明細書
【補正対象項目名】００１６
【補正方法】変更
【補正の内容】
【００１６】
請求項４に係る光路切換装置は、請求項２又は３に記載の光路切換装置において、上記光スイッチが、上記２つの可動反射体を別々に支持する２つの可動部材と、これら２つの可動部材を第１の位置と第２の位置との間で移動させる移動機構とを有することを特徴とするものである。
【手続補正６】
【補正対象書類名】明細書
【補正対象項目名】００１７
【補正方法】変更
【補正の内容】
【００１７】
請求項５に係る光路切換装置は、請求項２又は３に記載の光路切換装置において、上記光スイッチが、上記２つの可動反射体を支持する一つの可動部材と、この可動部材を第１の位置と第２の位置との間で移動させる移動機構とを有することを特徴とするものである。
【手続補正７】
【補正対象書類名】明細書
【補正対象項目名】００１８
【補正方法】変更
【補正の内容】
【００１８】
請求項６に係る光路切換装置は、
（ａ）第１の入射光路、第２の入射光路、第１の出射光路及び第２の出射光路と、
（ｂ）これら４つの光路の一端側に所定の間隔を置いて配置された、第１の反射体及び第２の反射体と、
（ｃ）上記４つの光路と上記２つの反射体との相対位置を切り換える移動機構とを有し、
第１及び第２の入射光路から送り出された光を第１及び第２の出射光路に導く第１の状態と、
第１及び第２の入射光路から送り出された光を第２及び第１の出射光路に導く第２の状態とを上記移動機構により切り換えることを特徴とするものである。
【手続補正８】
【補正対象書類名】明細書
【補正対象項目名】００１９
【補正方法】変更
【補正の内容】
【００１９】
請求項７に係る光路切換装置は、
（ａ）  並列に配置された第１の入射光路、第２の入射光路、第１の出射光路及び第２の出射光路と、
（ｂ）  これら４つの光路の一端側に所定の間隔を置いて配置され、互いに９０度の内角をもって隣接する２つの大反射面と、９０度の内角と２７０度の外角をもって順次隣接する４つの小反射面とを有する可動部材と、
（ｃ）  この可動部材を、上記２つの大反射面により第１及び第２の入射光路から送り出された光を第１及び第２の出射光路に導く第１の状態と、上記４つの小反射面により第１及び第２の入射光路から送り出された光を第２及び第１の出射光路に導く第２の状態とに切り換える移動機構とを有することを特徴とするものである。
【手続補正９】
【補正対象書類名】明細書
【補正対象項目名】００２０
【補正方法】変更
【補正の内容】
【００２０】
請求項８に係る光路切換装置は、請求項４から７のいずれかに記載の光路切換装置において、上記移動機構が、上記可動部材に設けた永久磁石と、この永久磁石を第１の位置に付勢する第１の磁界と第２の位置に付勢する第２の磁界とを形成する磁界形成部とを有することを特徴とするものである。
【手続補正１０】
【補正対象書類名】明細書
【補正対象項目名】００２１
【補正方法】変更
【補正の内容】
【００２１】
請求項９に係る光路切換装置は、請求項８記載の光路切換装置において、上記移動機構がまた、上記永久磁石の下に配置され、該永久磁石の磁界に反発する磁界を作用させる反発磁界形成部を有することを特徴とするものである。
【手続補正１１】
【補正対象書類名】明細書
【補正対象項目名】００２２
【補正方法】変更
【補正の内容】
【００２２】
請求項１０に係る光路切換装置は、請求項７又は８に記載の光路切換装置において、上記第１の位置及び第２の位置の近傍に固定され、これら上記第１の位置及び第２の位置に上記永久磁石があるとき、この永久磁石との間に磁気吸引力を生じる磁性部材を有することを特徴とするものである。
【手続補正１２】
【補正対象書類名】明細書
【補正対象項目名】００２３
【補正方法】変更
【補正の内容】
【００２３】
請求項１１に係る光路切換装置は、請求項１０記載の光路切換装置において、上記磁性部材が上記磁界形成部の励磁部であることを特徴とするものである。
【手続補正１３】
【補正対象書類名】明細書
【補正対象項目名】００２４
【補正方法】変更
【補正の内容】
【００２４】
請求項１２に係る光路切換装置は、請求項２から５、８から１１のいずれかに記載の光路切換装置において、上記可動反射体が上記第１の位置又は上記第２の位置にあるかを検出する検出手段を設けたことを特徴とするものである。
【手続補正１４】
【補正対象書類名】明細書
【補正対象項目名】００２５
【補正方法】変更
【補正の内容】
【００２５】
請求項１３に係る光路切換装置は、請求項１２記載の光路切換装置において、上記検出手段が、上記可動反射体と共に移動する導電部材と、上記可動反射体が第１の位置又は第２の位置にあるとき上記導電部材と接触する互いに絶縁された第１及び第２の端子と、上記第１の端子と第２の端子が電気的に接続されているか否かを検出する検出回路とを有することを特徴とするものである。
【手続補正１５】
【補正対象書類名】明細書
【補正対象項目名】００２６
【補正方法】変更
【補正の内容】
【００２６】
請求項１４に係る光路切換装置は、請求項１２記載の光路切換装置において、上記検出手段が、上記可動反射面と共に移動する導電部材と、上記可動反射面が第１の位置又は第２の位置にあるとき上記導電部材に近接する互いに絶縁された第１及び第２の電極と、第１と第２の電極間の静電容量変化を検出する検出回路とを有することを特徴とするものである。
【手続補正１６】
【補正対象書類名】明細書
【補正対象項目名】００２７
【補正方法】変更
【補正の内容】
【００２７】
請求項１５に係る光路切換装置は、請求項１２記載の光路切換装置において、上記検出手段が、上記第１の位置又は第２の位置にある可動反射体の近傍に配置されたホトカプラと、このホトカプラからの信号を検出する検出回路とを有することを特徴とするものである。
【手続補正１７】
【補正対象書類名】明細書
【補正対象項目名】００２８
【補正方法】変更
【補正の内容】
【００２８】
請求項１６に係る光路切換装置は、請求項７記載の光路切換装置において、上記可動部材が上記第１の状態又は上記第２の状態にあるかを検出する検出手段を設けたことを特徴とするものである。
【手続補正１８】
【補正対象書類名】明細書
【補正対象項目名】００２９
【補正方法】変更
【補正の内容】
【００２９】
請求項１７に係る光路切換装置は、請求項１から１６のいずれかに記載の光路切換装置において、上記入射光路と上記出射光路の少なくともいずれか一方が、レンズと、このレンズと同軸上に配置された光ファイバとを有することを特徴とするものである。
【手続補正１９】
【補正対象書類名】明細書
【補正対象項目名】００３０
【補正方法】変更
【補正の内容】
【００３０】
請求項１８に係る光路切換装置は、請求項１７記載の光路切換装置において、上記レンズがコリメートレンズであることを特徴とするものである。
【手続補正２０】
【補正対象書類名】明細書
【補正対象項目名】００３１
【補正方法】変更
【補正の内容】
【００３１】
請求項１９に係る光路切換装置は、請求項１から１６のいずれかに記載の光路切換装置において、上記入射光路と上記出射光路の少なくともいずれか一方が、コア部の端面近傍がテーパ状に拡大されたテーパファイバを有することを特徴とするものである。
【手続補正２１】
【補正対象書類名】明細書
【補正対象項目名】００３２
【補正方法】変更
【補正の内容】
【００３２】
請求項２０に係る光路切換装置は、請求項１７記載の光路切換装置において、上記光ファイバとして、その端面を端面での反射光がコアの外部へ放射される程度に斜めに切断した光ファイバを適用することを特徴とするものである。
【手続補正２２】
【補正対象書類名】明細書
【補正対象項目名】００３３
【補正方法】変更
【補正の内容】
【００３３】
請求項２１に係る光路切換装置は、請求項１から１６のいずれかに記載の光路切換装置において、上記入射光路と上記出射光路の少なくともいずれか一方が微小コリメータ付き光ファイバであることを特徴とするものである。
【手続補正２３】
【補正対象書類名】明細書
【補正対象項目名】００３４
【補正方法】変更
【補正の内容】
【００３４】
請求項２２に係る光路切換装置は、請求項２１記載の光路切換装置において、上記微小コリメータ付き光ファイバとして、その端面を端面での反射光がコアの外部へ放射される程度に斜めに切断した微小コリメータ付き光ファイバを適用することを特徴とするものである。
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】
【手続補正２８】
【補正対象書類名】明細書
【補正対象項目名】００３９
【補正方法】削除
【補正の内容】
【手続補正２９】
【補正対象書類名】明細書
【補正対象項目名】００４０
【補正方法】削除
【補正の内容】
【手続補正３０】
【補正対象書類名】明細書
【補正対象項目名】００４１
【補正方法】削除
【補正の内容】
【手続補正３１】
【補正対象書類名】明細書
【補正対象項目名】００４２
【補正方法】削除
【補正の内容】
【手続補正３２】
【補正対象書類名】明細書
【補正対象項目名】００４３
【補正方法】削除
【補正の内容】
【手続補正３３】
【補正対象書類名】明細書
【補正対象項目名】００４４
【補正方法】削除
【補正の内容】
【手続補正３４】
【補正対象書類名】明細書
【補正対象項目名】００４５
【補正方法】削除
【補正の内容】
【手続補正３５】
【補正対象書類名】明細書
【補正対象項目名】００４６
【補正方法】削除
【補正の内容】
【手続補正３６】
【補正対象書類名】明細書
【補正対象項目名】００４７
【補正方法】削除
【補正の内容】
【手続補正３７】
【補正対象書類名】明細書
【補正対象項目名】００４８
【補正方法】削除
【補正の内容】
【手続補正３８】
【補正対象書類名】明細書
【補正対象項目名】００４９
【補正方法】削除
【補正の内容】
【手続補正３９】
【補正対象書類名】明細書
【補正対象項目名】００５０
【補正方法】削除
【補正の内容】
【手続補正４０】
【補正対象書類名】明細書
【補正対象項目名】００５１
【補正方法】削除
【補正の内容】
【手続補正４１】
【補正対象書類名】明細書
【補正対象項目名】００５２
【補正方法】削除
【補正の内容】
【手続補正４２】
【補正対象書類名】明細書
【補正対象項目名】００５３
【補正方法】削除
【補正の内容】
【手続補正４３】
【補正対象書類名】明細書
【補正対象項目名】００５４
【補正方法】削除
【補正の内容】
【手続補正４４】
【補正対象書類名】明細書
【補正対象項目名】００５５
【補正方法】削除
【補正の内容】
【手続補正４５】
【補正対象書類名】明細書
【補正対象項目名】００５６
【補正方法】削除
【補正の内容】
【手続補正４６】
【補正対象書類名】明細書
【補正対象項目名】００５７
【補正方法】削除
【補正の内容】
【手続補正４７】
【補正対象書類名】明細書
【補正対象項目名】００５８
【補正方法】削除
【補正の内容】
【手続補正４８】
【補正対象書類名】明細書
【補正対象項目名】００５９
【補正方法】削除
【補正の内容】
【手続補正４９】
【補正対象書類名】明細書
【補正対象項目名】００６０
【補正方法】削除
【補正の内容】